(57)【要約】【課題】  長いメッセンジャワイヤと、このメッセンジャワイヤから僅かに離れて前記メッセンジャワイヤに並進している信号線とを、これらの長手方向の一方向に移送しつつ、合成樹脂で被覆するメッセンジャワイヤ・信号線被覆装置において、前記メッセンジャワイヤと前記信号線との移送速度を正確に検出する。【解決手段】  信号線ＳＧ１を支持する接続支持部１０６を、メッセンジャワイヤＷＲ１に適宜間隔をあけて形成することが可能な被覆手段１０２と、下流側でメッセンジャワイヤＷＲ１と信号線ＳＧ１とを引っ張る第１の電動モータ１１０と、メッセンジャワイヤＷＲ１に引っ張り応力を付与すべく、上流側でメッセンジャワイヤＷＲ１を引っ張る第２の電動モータ１２０とを有し、メッセンジャワイヤの移送速度を検出しアナログ値の信号で出力し、この出力した信号に応じ、接続支持部１０６の間隔が所定の間隔になるように制御する。【選択図】図１
2006066247.tif 000002
【特許請求の範囲】
【請求項１】
長いメッセンジャワイヤと、このメッセンジャワイヤから僅かに離れて前記メッセンジャワイヤに並進している信号線とを、これらの長手方向の一方向に移送しつつ、合成樹脂で被覆するメッセンジャワイヤ・信号線被覆装置において、
前記被覆をする際、前記信号線を支持する接続支持部を、前記メッセンジャワイヤに適宜間隔をあけて形成することが可能な被覆手段と；
前記被覆手段の下流側で前記メッセンジャワイヤと前記信号線とを前記下流側に引っ張るための第１の電動モータと；
前記メッセンジャワイヤに引っ張り応力を付与すべく、前記被覆手段の上流側で前記メッセンジャワイヤを前記上流側に引っ張るための第２の電動モータと；
前記メッセンジャワイヤまたは前記信号線の前記一方向の移送速度を検出しアナログ値の信号で出力可能な移送速度検出手段と；
前記移送速度検出手段が出力した移送速度に応じ、前記接続支持部の間隔が所定の間隔になるように、前記被覆手段を制御する制御手段と；
を有することを特徴とするメッセンジャワイヤ・信号線被覆装置。
【請求項２】
請求項１に記載のメッセンジャワイヤ・信号線被覆装置において、
前記モータの動力線と、前記移送速度検出手段から出力されたアナログ値の信号を前記制御手段まで伝達する信号線であるアナログ信号線とを、前記制御装置まで並進させて設けてあることを特徴とするメッセンジャワイヤ・信号線被覆装置。
【発明の詳細な説明】
【技術分野】
【０００１】
本発明は、メッセンジャワイヤ・信号線被覆装置に係り、特に、メッセンジャワイヤの移送速度を検出し、この検出結果をアナログ信号で出力し、この出力された信号に基づいて、前記メッセンジャワイヤに信号線を支持するための接続支持部を、所定の長さで所定の間隔あけて生成しつつ、メッセンジャワイヤと信号線とを樹脂で被覆をするものに関する。
【背景技術】
【０００２】
図７は、従来のメッセンジャワイヤ・信号線被覆装置１００の概略構成を示す図である。
【０００３】
従来のメッセンジャワイヤ・信号線被覆装置１００は、長いメッセンジャワイヤＷＲ１と、このメッセンジャワイヤＷＲ１から僅かに離れて前記メッセンジャワイヤＷＲ１に並進している光ファイバー等の信号線ＳＧ１とを、後述する第１の引っ張り手段１１２を用いて、前記メッセンジャワイヤＷＲ１と前記信号線ＳＧ１との長手方向の一方向（下流側）に移送しつつ、合成樹脂ＰＣ１で被覆する装置である。
【０００４】
前記被覆をするために、前記メッセンジャワイヤＷＲ１と前記信号線ＳＧ１との移送方向の上流側には、被覆手段１０２が設けられている。
【０００５】
前記被覆手段１０２には、シャッタ１０４が設けられている。このシャッタ１０４が前記被覆をする際に開閉することにより、前記メッセンジャワイヤＷＲ１と前記信号線ＳＧ１との長手方向の移動にしたがって、前記信号線ＳＧ１を支持する接続支持部１０６を、前記メッセンジャワイヤＷＲ１に適宜間隔をあけて形成することが可能なようになっている。
【０００６】
なお、前記接続支持部１０６が存在していない、前記メッセンジャワイヤＷＲ１と前記信号線ＳＧ１との間の部位には、空間１０８が形成されている。
【０００７】
前記接続支持部１０６によって、前記信号線ＳＧ１が前記メッセンジャワイヤＷＲ１に支持され、前記メッセンジャワイヤＷＲ１から前記信号線ＳＧ１が大きく離れないようになっている。
【０００８】
また、前記従来のメッセンジャワイヤ・信号線被覆装置１００には、前記第１の電動モータ（たとえばインダクションモータ）１１０の回転速度を検出可能なパルスジェネレータ（図示せず）が設けられており、前記回転速度に応じたデシタル信号が前記パルスジェネレータから制御装置１２２に送られる。そして、前記制御装置１２２の制御の下、前記回転速度に対応して、前記シャッタ１０４の開閉を制御し、前記接続支持部１０６と前記空間１０８との各長さがほぼ一定になるようにしている。すなわち、前記接続支持部１０６の長さと設置間隔とがほぼ一定になるようにしている。
【０００９】
前記被覆手段１０２の下流側には、前記メッセンジャワイヤＷＲ１と前記信号線ＳＧ１とを、第１の電動モータ１１０を用い前記メッセンジャワイヤＷＲ１の移送方向（矢印ＡＲ１の方向；下流方向）に引っ張る第１の引張り手段１１２が設けられている。
【００１０】
一方、前記被覆手段１０２の上流側には、第２の電動モータ１２０を用い前記メッセンジャワイヤＷＲ１を前記移送方向とは逆の方向（上流方向）に引っ張ることができる第２の引っ張り手段１１４が設けられている。
【００１１】
前記第１の引張り手段１１２と前記第２の引っ張り手段１１４との間では、前記メッセンジャワイヤＷＲ１に引っ張り応力が生じており、この引っ張り応力によって、前記第１の引張り手段１１２と前記第２の引っ張り手段１１４との間における前記メッセンジャワイヤＷＲ１には、伸び歪み（伸び弾性歪み）が発生している。
【００１２】
そして、前記制御装置１２２の制御の下、前記第１の引っ張り手段１１２が、前記メッセンジャワイヤＷＲ１を下流方向に引っ張って矢印ＡＲ１の方向に移送し、前記被覆手段１０２の前記シャッタ１０４の開閉を行うことにより、接続支持部１０６と空間１０８とを形成しつつ、換言すれば、接続支持部１０６を所定の長さで所定の間隔をあけて形成しつつ、前記メッセンジャワイヤＷＲ１と前記信号線ＳＧ１とを被覆するようになっている。
【００１３】
前記第１の引っ張り手段１１２よりもさらに下流側では、前記引っ張り応力が解除されて無くなるので前記伸び歪みがなくなり前記メッセンジャワイヤＷＲ１が縮むが、前記信号線ＳＧ１には、引っ張り応力がかかっていないので、前記信号線ＳＧ１は縮むことなく、初期の長さを維持している。
【００１４】
したがって、前記第１の引っ張り手段１１２よりもさらに下流側では、前記メッセンジャワイヤＷＲ１に対して前記信号線ＳＧ１のほうが長くなり、前記空間１０８で前記メッセンジャワイヤＷＲ１に対して前記信号線ＳＧ１が弛む。
【００１５】
そして、前記被覆がされた前記メッセンジャワイヤＷＲ１と信号線ＳＧ１とを、たとえば各支柱間に張って実際に使用したときも、前記メッセンジャワイヤＷＲ１に対して前記信号線ＳＧ１が弛んでおり、前記信号線ＳＧ１には張力がかからず、前記信号線ＳＧ１の断線等を防止することができる。
【００１６】
なお、前記従来の装置に関連する装置として、たとえば、特許文献１に記載の装置が知られている。
【特許文献１】特開平７−１５４９０８号公報
【発明の開示】
【発明が解決しようとする課題】
【００１７】
ところで、前記従来のメッセンジャワイヤ・信号線被覆装置１００では、前記第１の電動モータ１１０の回転速度を、パルスジェネレータを用いて検出し、前記回転速度に応じたデシタル信号を前記パルスジェネレータから制御装置１２２に送っているが、前記パルスジェネレータと前記制御装置１２２との間で、前記デジタル信号にノイズ（たとえば、電動モータ１１０を駆動しているインバータからのノイズ）が入ることがある。
【００１８】
そして、前記ノイズによって、デジタル信号の矩形波が変形し、たとえば、本来矩形波が不存在であるところに矩形波が存在しているように前記制御装置１２２が認識し、前記メッセンジャワイヤＷＲ１と前記信号線ＳＧ１との移送速度を誤って検出するおそれがあるという問題がある。
【００１９】
前記メッセンジャワイヤＷＲ１と前記信号線ＳＧ１との移送速度を誤って検出すると、前記被覆手段１０２のシャッタ１０４が誤ったタイミングで開閉され、前記接続支持部１０６の長さ（幅）や設置間隔が不正確になり、前記メッセンジャワイヤＷＲ１と前記信号線ＳＧ１との被覆において不良品が製造されてしまうおそれがある。
【００２０】
本発明は、前記問題点に鑑みてなされたものであり、長いメッセンジャワイヤと、このメッセンジャワイヤから僅かに離れて前記メッセンジャワイヤに並進している信号線とを、これらの長手方向の一方向に移送しつつ、合成樹脂で被覆するメッセンジャワイヤ・信号線被覆装置において、前記メッセンジャワイヤと前記信号線との移送速度を正確に検出することができるメッセンジャワイヤ・信号線被覆装置を提供することを目的とする。
【課題を解決するための手段】
【００２１】
請求項１に記載の発明は、長いメッセンジャワイヤと、このメッセンジャワイヤから僅かに離れて前記メッセンジャワイヤに並進している信号線とを、これらの長手方向の一方向に移送しつつ、合成樹脂で被覆するメッセンジャワイヤ・信号線被覆装置において、前記被覆をする際、前記信号線を支持する接続支持部を、前記メッセンジャワイヤに適宜間隔をあけて形成することが可能な被覆手段と、前記被覆手段の下流側で前記メッセンジャワイヤと前記信号線とを前記下流側に引っ張るための第１の電動モータと、前記メッセンジャワイヤに引っ張り応力を付与すべく、前記被覆手段の上流側で前記メッセンジャワイヤを前記上流側に引っ張るための第２の電動モータと、前記メッセンジャワイヤまたは前記信号線の前記一方向の移送速度を検出しアナログ値の信号で出力可能な移送速度検出手段と、前記移送速度検出手段が出力した移送速度に応じ、前記接続支持部の間隔が所定の間隔になるように、前記被覆手段を制御する制御手段とを有するメッセンジャワイヤ・信号線被覆装置である。
【００２２】
請求項２に記載の発明は、請求項１に記載のメッセンジャワイヤ・信号線被覆装置において、前記モータの動力線と、前記移送速度検出手段から出力されたアナログ値の信号を前記制御手段まで伝達する信号線であるアナログ信号線とを、前記制御装置まで並進させて設けてあるメッセンジャワイヤ・信号線被覆装置である。
【発明の効果】
【００２３】
本発明によれば、長いメッセンジャワイヤと、このメッセンジャワイヤから僅かに離れて前記メッセンジャワイヤに並進している信号線とを、これらの長手方向の一方向に移送しつつ、合成樹脂で被覆するメッセンジャワイヤ・信号線被覆装置において、前記メッセンジャワイヤと前記信号線との移送速度を正確に検出することができるという効果を奏する。
【発明を実施するための最良の形態】
【００２４】
図1は、本発明の実施形態に係るメッセンジャワイヤ・信号線被覆装置１の概略構成を示す図である。
【００２５】
メッセンジャワイヤ・信号線被覆装置１は、メッセンジャワイヤＷＲ１と信号線（たとえば光ファイバー）ＳＧ１との移送速度検出手段３の構成が、前記従来のメッセンジャワイヤ・信号線被覆装置１００と異なり、その他の点は、前記従来のメッセンジャワイヤ・信号線被覆装置１００とほぼ同様に構成されている。したがって、前記従来のメッセンジャワイヤ・信号線被覆装置１００と同様に構成されているものについては、同じ符号を付してある。
【００２６】
メッセンジャワイヤ・信号線被覆装置１は、前記従来のメッセンジャワイヤ・信号線被覆装置１００と同様に、長いメッセンジャワイヤＷＲ１と、このメッセンジャワイヤＷＲ１から僅かに離れて前記メッセンジャワイヤＷＲ１に並進している（長く平行に延伸している）信号線ＳＧ１とを、これらの長手方向の一方向に移送しつつ、合成樹脂ＰＣ１で被覆する装置である。
【００２７】
前記メッセンジャワイヤ・信号線被覆装置１は、前記被覆をする際、前記メッセンジャワイヤＷＲ１と前記信号線ＳＧ１との間で合成樹脂ＰＣ１が存在している部位である接続支持部１０６と合成樹脂が非存在な部位である空間１０８とを前記長手方向にわたって交互に形成可能な被覆手段１０２を備えている。
【００２８】
前記被覆手段１０２は、溶融している合成樹脂をダイス（図示せず）を用いて、上記メッセンジャワイヤＷＲ１と上記信号線ＳＧ１とを被覆するようになっていると共に、開閉自在なシャッタ１０４を備えており、このシャッタ１０４が開いているときにのみ、前記接続支持部１０６が形成される。したがって、前記シャッタ１０４が開閉を行うことによって前記信号線ＳＧ１を支持する接続支持部１０６が、前記メッセンジャワイヤＷＲ１に適宜間隔をあけて形成される。
【００２９】
前記接続支持部１０６では、図２に示すように、合成樹脂ＰＣ１によって構成され断面が円形状に形成されている部位ＰＣ３でメッセンジャワイヤＷＲ１が覆われており、また、合成樹脂ＰＣ１によって構成され断面が円形状に形成されている部位ＰＣ５で信号線ＳＧ１が覆われている。さらに、前記各部位ＰＣ３、ＰＣ５が、合成樹脂ＰＣ１で構成された連結部位ＰＣ７で互いに連結されている。
【００３０】
一方、空間１０８では、図３に示すように、図２で示した場合と同様に、各部位ＰＣ３、ＰＣ５は形成されているが、前記各部位ＰＣ３、ＰＣ５を互いに連結している連結部位ＰＣ７は形成されておらず、前記各部位ＰＣ３、ＰＣ５が互いに離れている。
【００３１】
また、図１に示すように、前記メッセンジャワイヤＷＲ１や前記信号線ＳＧ１の長手方向における前記接続支持部１０６の長さ（幅）Ｌ１は、たとえば約５０ｍｍであり、前記空間１０８の長さＬ３は、たとえば、約５００ｍｍに形成されている。
【００３２】
なお、前記被覆手段１０２の下流側（前記被覆手段１０２と第１の引っ張り手段１１２との間）には、被覆された合成樹脂ＰＣ１を冷却するための装置（図示せず）が設けられている。
【００３３】
また、前記メッセンジャワイヤ・信号線被覆装置１には、前記被覆手段１０２の下流側（前記メッセンジャワイヤＷＲ１や信号線ＳＧ１の移送方向の下流側）で、前記メッセンジャワイヤＷＲ１と前記信号線ＳＧ１とを、第１の電動モータ１１０（たとえばインダクションモータ）を用いて下流側引っ張ることが可能な第１の引っ張り手段１１２が設けられている。
【００３４】
より、詳しく説明すると、前記第１の引っ張り手段１１２は、たとえば、互いが対向している２つのキャタピラ５Ａ、５Ｂを備えており、これらの各キャタピラ５Ａ、５Ｂで、被覆がされた前記メッセンジャワイヤＷＲ１と前記信号線ＳＧ１とを挟み込むようになっている。
【００３５】
そして、前記電動モータ１１０で前記キャタピラ５Ａや前記キャタピラ５Ｂを回転駆動することにより、前記メッセンジャワイヤＷＲ１と前記信号線ＳＧ１とを前記下流側の方向に引っ張り、前記メッセンジャワイヤＷＲ１と前記信号線ＳＧ１とを、たとえば、５００ｍｍ／ｍｉｎの速度で移送することができるようになっている。
【００３６】
また、前記メッセンジャワイヤ・信号線被覆装置１には、前記被覆手段１０２の上流側で、前記メッセンジャワイヤＷＲ１を前記長手方向の一方向（矢印ＡＲ１の方向）とは逆の方向に、第２の電動モータ１２０（たとえばインダクションモータ）を用いて引っ張ることが可能な第２の引張り手段１１４が設けられている。
【００３７】
より詳しく説明すると、前記被覆手段１０２の上流側には、メッセンジャワイヤＷＲ１を巻き付けてメッセンジャワイヤＷＲ１を上流側に引っ張ることが可能なプーリ１１６が設けられており、第２の電動モータ１２０とこの電動モータ１２０の出力軸と前記プーリ１１６とが、パウダークラッチ１１８を介して互いに連結されている。
【００３８】
そして、後述する制御装置７の制御の下、前記第１の引っ張り手段１１２が、前記メッセンジャワイヤＷＲ１を引っ張り矢印ＡＲ１の方向に移送しているとき、前記第２の電動モータ１２０の出力軸は逆方向に回転している。
【００３９】
すなわち、前記メッセンジャワイヤＷＲ１が矢印ＡＲ１の方向に移送されているときには、前記プーリ１１６が順方向に回転している（前記メッセンジャワイヤＷＲ１を前記矢印ＡＲ１の方向に移送するように回転している）にもかかわらず、前記第２の電動モータ１２０の出力軸は、前記プーリ１１６とは逆方向に回転している。
【００４０】
したがって、前記クラッチ１１８においてスベリが発生し、前記第２の電動モータと前記クラッチ１１８とがブレーキになり、前記メッセンジャワイヤＷＲ１を前記矢印ＡＲ１１とは逆の方向に引っ張っており、前記第１の引張り手段１１２と前記第２の引っ張り手段１１４との間で、前記メッセンジャワイヤＷＲ１に引っ張り応力（張力）が発生している。
【００４１】
また、前記第２の引張り手段１１４と前記被覆手段１０２との間には、前記メッセンジャワイヤＷＲ１の移送方向を変えるための方向変換プーリ１１が設けられている。
【００４２】
この方向変換プーリ１１によって、前記方向変換プーリ１１の上流側では前記信号線ＳＧ１とは交差する方向に移送されてきたメッセンジャワイヤＷＲ１が、前記方向変換プーリ１１の下流側では前記信号線ＳＧ１と平行な方向に移送されて、上記被覆手段１０２に導入されるようになる。
【００４３】
さらに、前記メッセンジャワイヤ・信号線被覆装置１には、前記第１の電動モータ１１０、前記第２の電動モータ１２０や前記被覆手段１０２等を制御するための制御装置７が設けられている。
【００４４】
また、前記メッセンジャワイヤ・信号線被覆装置１には、前記メッセンジャワイヤＷＲ１と前記信号線ＳＧ１とを矢印ＡＲ１の方向に移送しているときに、前記メッセンジャワイヤＷＲ１または前記信号線ＳＧ１の前記移送速度（移動速度）を検出しアナログ値の信号で出力可能な移送速度検出手段３の例であるタコジェネレータ９が設けられている。
【００４５】
前記タコジェネレータ９の入力軸は、たとえば、前記第１の電動モータ１１０の回転出力軸に連動連結されており、前記タコジェネレータ９は、図４に示すように、前記第１の電動モータ１１０の回転出力軸の回転速度（一定時間あたりの回転数）に比例した電圧値を、アナログ信号として前記制御装置７に出力するようになっている。
【００４６】
なお、前記メッセンジャワイヤＷＲ１と前記信号線ＳＧ１との移送速度を検出可能であれば、前記タコジェネレータ９の入力軸を他の部位（たとえば、キャタピラ５Ａの回転軸）に連動連結させてもよい。
【００４７】
そして、前記移送速度検出手段３が出力した移送速度、すなわち、前記タコジェネレータ９が出力した電圧値に応じて、前記制御装置７が前記被覆手段１０２の前記シャッタ１０４の開閉タイミングを制御し、前記メッセンジャワイヤＷＲ１や信号線ＳＧ１の長手方向における前記接続支持部１０６の長さ（幅）Ｌ１や前記空間１０８の長さ（前記接続支持部１０６の間隔）Ｌ３が所定の長さになるようにしている。
【００４８】
なお、前記タコジェネレータ９と前記制御装置７との間は、前記タコジェネレータ９が出力したアナログ値の信号を前記制御装置７まで伝達する信号線であるアナログ信号線１３が設けられており、このアナログ信号線１３は、前記第１の電動モータ１１０の電力を供給する動力線１５と並進して設けてある。
【００４９】
次に、前記メッセンジャワイヤ・信号線被覆装置１の動作について説明する。
【００５０】
この説明において、前記メッセンジャワイヤ・信号線被覆装置１は、メッセンジャワイＷＲ１と前記信号線ＳＧ１とを一定の速度で移送しつつ、前記タコジェネレータ９が出力した電圧値に応じて、前記被覆手段１０２に前記シャッタ１０４の開閉タイミングを制御し、前記メッセンジャワイヤＷＲ１や信号線ＳＧ１の長手方向における前記接続支持部１０６の長さ（幅寸法）Ｌ１や前記空間１０８の長さ（前記接続支持部１０６の間隔）Ｌ３が所定の長さになるようにして、被覆を行っているものとする。
【００５１】
前記状態においては、図５に示すように、前記タコジェネレータ９は、たとえば、５Ｖの電圧を出力し続けているが、何らかの要因で、前記タコジェネレータ９が出力している５Ｖの電圧にノイズがのり、図６に示すように、前記タコジェネレータ９から前記制御装置７に入力される電圧の波形が乱れたとする。
【００５２】
このように電圧波形が乱れた場合であっても、前記ノイズは極短い時間で発生するので、前記制御装置７では、前記ノイズを無視することができる。
【００５３】
メッセンジャワイヤ・信号線被覆装置１によれば、前記メッセンジャワイヤＷＲ１の移送速度を検出しアナログ値の信号で出力しているので、一般的には極短い時間で発生する（周波数の極短い）ノイズが前記アナログ値の信号に入っても、上述したようように制御装置７で容易に無視することができ、したがって、ノイズフィルターを設けることなく簡素な構成で、前記メッセンジャワイヤＷＲ１と前記信号線ＳＧ１との移送速度を正確に検出することができる。
【００５４】
なお、アナログ信号であるので簡素な構成のノイズフィルターを設置することにより、ノイズをかなり除去することができ、前記メッセンジャワイヤＷＲ１と前記信号線ＳＧ１との移送速度を一層正確に検出することができる。
【００５５】
そして、前記被覆手段１０２のシャッタ１０４が、誤ったタイミングで開閉されることを防止でき、前記接続支持部１０６の長さ（幅寸法）や前記空間１０８の長さ（前記接続支持部１０６の間隔）を正確な値にすることができ、メッセンジャワイヤＷＲ１と信号線ＳＧ１との被覆において不良品が製造されてしまうおそれを回避することができる。
【００５６】
また、メッセンジャワイヤ・信号線被覆装置１によれば、前記第１の電動モータ１１０の動力線１５と、前記アナログ信号線１３とを、前記制御装置７まで並進させて設けてあるので、前記第１の電動モータ１１０の動力線１５と前記アナログ信号線１３との配線の簡素化を図ることができる。なお、前記第１の電動モータの動力線１５で発生したノイズが、前記アナログ信号線１３に入り込むおそれがあるが、ノイズが入り込んでも、上述したように前記制御装置７でノイズを無視することができる。
【００５７】
また、前記第１の電動モータ１１０の回転出力軸で、回転速度を検出しているので、前記第１の電動モータ１１０と前記制御装置７との間の長い区間にわたって、各配線１３、１５を並進させることができ、配線の一層の簡素化を図ることができる。
【図面の簡単な説明】
【００５８】
【図１】本発明の実施形態に係るメッセンジャワイヤ・信号線被覆装置の概略構成を示す図である。
【図２】接続支持部の断面を示す、図１におけるＩＩＡ−ＩＩＢ断面を示す図である。
【図３】空間の断面を示す、図１におけるＩＩＩＡ−ＩＩＩＢ断面を示す図である。
【図４】タコジェネレータの入力軸の回転数と出力する電圧との関係を示す図である。
【図５】メッセンジャワイヤ・信号線被覆装置が一定速度でメッセンジャワイヤと信号線とを移送しているときの、タコジェネレータの出力電圧の波形を示す図である。
【図６】メッセンジャワイヤ・信号線被覆装置が一定速度でメッセンジャワイヤと信号線とを移送しているときの、タコジェネレータの出力電圧にノイズがのった波形を示す図である。
【図７】従来のメッセンジャワイヤ・信号線被覆装置の概略構成を示す図である。
【符号の説明】
【００５９】
１  メッセンジャワイヤ・信号線被覆装置
３  移送速度検出手段
７  制御装置
９  タコジェネレータ
１３  アナログ信号線
１５  信号線
１０２  被覆手段
１０６  接続支持部
１０８  空間
１１０  第１の電動モータ
１１２  第１の引張り手段
１１６  第１の引張り手段
１２０  第２の電動モータ
ＳＧ１  信号線
ＷＲ１  メッセンジャワイヤ
【図１】
2006066247.tif 000003
【図２】
2006066247.tif 000004
【図３】
2006066247.tif 000005
【図４】
2006066247.tif 000006
【図５】
2006066247.tif 000007
【図６】
2006066247.tif 000008
【図７】
2006066247.tif 000009